(57)【要約】      （修正有）【課題】材料を分配して３Ｄサブ構造体を形成し、３Ｄサブ構造体上に接着剤を分配する３次元（３Ｄ）プリンタ及び方法の提供。【解決手段】構造体を形成するシステムであって、３次元（３Ｄ）プリンタを含み、前記３次元（３Ｄ）プリンタが、ポリマー１８を含む第１の容器１４Ｂ及びポリマー２０を含む第３の容器１４Ｃと、接着剤１６を含む第２の容器１４Ａと、プラットフォーム１０上にポリマーを分配して３Ｄサブ構造体１２を形成するよう設定されるノズル２２Ｂ及び２２Ｃと、前記３Ｄサブ構造体１２上に接着剤を分配するよう設定されるノズル２２Ａと、を含むシステム。【選択図】図１
2015120343.tif 000002
【特許請求の範囲】
【請求項１】
構造体を形成するシステムであって、
３次元（３Ｄ）プリンタを含み、前記３次元（３Ｄ）プリンタが、
ポリマーを含む第１の容器と、
接着剤を含む第２の容器と、
プラットフォーム上にポリマーを分配して３Ｄサブ構造体を形成するよう設定されるノズルと、
前記３Ｄサブ構造体上に接着剤を分配するよう設定されるノズルと、を含むシステム。
【請求項２】
ポリマーを分配するよう設定される前記第１の容器および前記ノズルを含む第１の印刷ヘッドと、
接着剤を分配するよう設定される前記第２の容器および前記ノズルを含む第２の印刷ヘッドと、をさらに含む請求項１に記載のシステム。
【請求項３】
その上にプログラムを含む非一時的なコンピュータ可読記憶媒体であって、前記プログラムが前記３Ｄプリンタに印刷動作を行うよう指示するよう設定され、前記印刷動作には、
前記第１の容器からの前記ポリマーを前記プラットフォーム上に印刷して前記３Ｄサブ構造体を形成することと、
前記第２の容器からの前記接着剤を前記３Ｄサブ構造体上に印刷することと、とが含まれる、非一時的なコンピュータ可読記憶媒体をさらに含む請求項２に記載のシステム。
【請求項４】
前記３Ｄサブ構造体は第１の３Ｄサブ構造体であり、前記接着剤は第１の接着剤であり、前記プログラムが前記３Ｄプリンタに印刷動作を行うよう指示するようさらに設定され、前記印刷動作には、
前記第１の容器からの前記ポリマーを前記プラットフォーム上に印刷して第２の３Ｄサブ構造体を形成することと、
第２の接着剤を含む第３の容器からの接着剤を前記第２の３Ｄサブ構造体上に印刷することであって、前記第１の接着剤および前記第２の接着剤は、前記第１の３Ｄサブ構造体と前記第２の３Ｄサブ構造体を取り付けるよう設定される、こととが含まれる、請求項３に記載のシステム。
【請求項５】
前記第１の接着剤がエポキシ樹脂成分であり、前記第２の接着剤がエポキシ硬化剤成分である、請求項４に記載のシステム。
【請求項６】
膜被覆を含む第３の容器と、
前記膜被覆を分配するよう設定されるノズルと、をさらに含む請求項１に記載のシステム。
【請求項７】
前記接着剤が、ポリウレタン、アクリル、シアノアクリレート、熱可塑性物質、および熱硬化性物質のうちの少なくとも１つを含む、請求項１に記載のシステム。
【請求項８】
前記接着剤が、紫外線（ＵＶ）光を用いて硬化可能な接着剤である、請求項１に記載のシステム。
【発明の詳細な説明】
【技術分野】
【０００１】
本教示は３次元（３Ｄ）印刷に関し、より具体的には、３Ｄ構造体の印刷、および３Ｄ印刷された構造体と、その他の３Ｄ印刷された構造体、またはその他の技術を用いて加工された構造体との組立てに関する。
【背景技術】
【０００２】
従来の加工技術の使用はデジタル加工の方向へと急速に向かっている。付加加工または除去加工（本明細書では、集合的に３Ｄ印刷と呼ぶ）は、従来の加工技術に対して数多くの優位性を有する。例えば、従来の技術を用いてもかつては加工が不可能だった複雑な構造の設計も、３Ｄ印刷を用いれば加工が可能となる。さらに、３Ｄ印刷により、単一ユニットと同じくらい小さなバッチサイズを加工するための、費用効率が高い方法が提供される。設計はエンドユーザがコンピュータ支援設計（ＣＡＤ）のソフトウェアを用いて作ることができる、あるいは家庭または小さな会社からユーザが必要な修理部品または所望される装飾用の構造体を作るための、ウェブベースのソフトウェアの命令をダウンロードすることが可能である。異なる印刷ヘッドにより、加工される対象物に複数の異なる材料を取り付けることができる（例えば、ゴム、プラスチック、紙、ポリウレタン類似材料、金属など）。
【０００３】
３Ｄ印刷されたサブ構造体の中には、印刷終了後に別のサブ構造体と一緒に組み立てなければならないものもあり得る。例えば、接着剤を用いて３Ｄ印刷されたサブ構造体を１つ以上の別の３Ｄ印刷されたサブ構造体に、または１つ以上の従来通り加工されたサブ構造体に、あるいはその両方に取り付けることができる。組み立てるために、２つ以上の３Ｄ印刷された構造体を、印刷終了後、組立ステーションに搬送することができ、そこで一方または両方のサブ構造体に手作業で接着剤が塗布される。次いで、これらの構造体が接着剤を用いて組み立てられて、２つ以上の構造体が一緒に固定される。
【発明の概要】
【発明が解決しようとする課題】
【０００４】
より素早くまたは手軽に部品を組み立てることができる３Ｄ印刷された構造体および方法が所望される。
【課題を解決するための手段】
【０００５】
以下に、本教示の一つ以上の実施形態のうちのいくつかの態様の基本的な理解を提供するための簡略化した概要を提示する。この概要は、広い範囲に及ぶ概略ではなく、またそれは、本教示の主要な要素または重要な要素を識別すること、および本開示の範囲を線引きすることを意図しているものでもない。この概要の主な目的は、むしろ、下記の記載する詳細な説明の前置きとして、簡略化した形態で１つ以上の概念を単に提示するだけである。
【０００６】
本教示の実施形態では、構造体を形成するシステムが提供され得、このシステムは３次元（３Ｄ）プリンタを含む。この３Ｄプリンタは、ポリマーを含む第１の容器と、接着剤を含む第２の容器と、プラットフォーム上にポリマーを分配して３Ｄサブ構造体を形成するよう設定されるノズルと、３Ｄサブ構造体上に接着剤を分配するよう設定されるノズルと、を含むことができる。
【０００７】
別の実施形態では、構造体を形成する方法が提供され、この方法は、３次元（３Ｄ）プリンタを提供するステップを含むことができ、このプリンタは、ポリマーを含む第１の容器と、接着剤を含む第２の容器とを含む。この方法は、３Ｄプリンタを用いて、ポリマーを第１の容器からノズルを通して分配して、３Ｄサブ構造体を印刷するステップと、３Ｄプリンタを用いて、接着剤を第２の容器からノズルを通して３Ｄサブ構造体上に分配するステップと、をさらに含むことができる。
【０００８】
本明細書に組み込まれ、その一部を構成する添付図面は、本明細書とともに、本教示の実施形態を例示し、本教示の原理を説明するのに役立つ。これらの図面は以下の通りである。
【図面の簡単な説明】
【０００９】
【図１】図１は、本教示の実施形態に従った、製造過程の構造を示す概略断面図である。
【図２】図２は、本教示の実施形態に従った、製造過程の構造を示す概略断面図である。
【図３】図３は、本教示の実施形態に従った、製造過程の構造を示す概略断面図である。
【図４】図４は、本教示の実施形態に従った、製造過程の構造を示す概略断面図である。
【図５】図５は、本教示の実施形態に従った、製造過程の構造を示す概略断面図である。
【図６】図６は、本教示の実施形態に従った、方法のフローチャートである。
【図７】図７は、本教示の実施形態に従った、システムの概略図である。
【発明を実施するための形態】
【００１０】
尚、これらの図面のいくらかの詳細は簡略化されており厳密な構造的な正確さ、詳細、および縮尺を維持するよりはむしろ本教示の理解を容易にするように描かれている。
【００１１】
添付図面に示されている例を参照して、本教示の例示的な実施形態を詳細に説明する。可能な限り、図面全体を通して用いられている同じ参照符号は、同じ部品または同様の部品を指す。
【００１２】
接着剤を用いて、３Ｄ印刷されたサブ構造体を、別の３Ｄ印刷されたサブ構造体に、または１つ以上の従来通り製造されたサブ構造体、あるいはその両方に取り付ける場合、それらの印刷されたサブ構造体に接着剤を手作業で塗布しなければならない。手作業で接着剤を塗布すると、正確さを欠き、コストがかさみ、ミスが発生する可能性が生じる。
【００１３】
本教示の実施形態では、例えば、下記に記載する実施形態のうちの１つを用いて、３Ｄ印刷されるサブ構造体の加工中に３Ｄプリンタ自身により１種類以上の接着剤を塗布することが可能である。３Ｄプリンタを用いて接着剤を塗布することにより、接着剤の塗布精度を向上させ、コストおよびミスの可能性を少なくすることが可能となる。本出願の目的に関して、「サブ構造体」または「サブ組立体」とは、完成した組立体（すなわち、上部構造体）を形成するために、その他のサブ構造体と取り付けられる構造体のことである。
【００１４】
図１〜図５の断面図には、本教示の実施形態に従った、３Ｄサブ構造体および接着剤を印刷する様子、および２つの３Ｄ印刷されたサブ構造体を組み立てて完成した組立体を形成する様子が示されている。図１には、プラットフォーム１０および複数の材料供給部１４を含む３Ｄプリンタが示され、これらの複数の材料供給部１４は、例えば、印刷される様々な液体（粘着）材料１６〜２０を供給する複数の容器である。これらの液体材料は異なる印刷ヘッドにより供給することができ、あるいは同じ印刷ヘッド内の異なる容器により供給することができ、その他の構成も考えることができる。ある実施形態では、ポリマーなどの材料１８が、プリンタにより、容器１４Ｂからノズル２２Ｂを通ってプラットフォーム１０上に分配される（例えば、吐出される）。ノズル２２と容器１４は印刷ヘッド２４の一部でよい。印刷中、印刷ヘッド２４はＸ、Ｙ、およびＺ方向に移動して、複数の層１２Ａ〜１２Ｃをプラットフォーム１０上に分配して３Ｄサブ構造体１２を形成する。層１２の厚さは約１００μｍ以下でよい。構造体およびサブ構造体の３Ｄ印刷は、当技術分野では周知である。
【００１５】
その後、図２に示される通り、プリンタにより、接着剤１６はノズル２２Ａを通ってサブ構造体１２上に分配されて、分配された接着剤２６が供給される。この分配された接着剤２６は、空気硬化性接着剤、エポキシ（例えば、ポリウレタン、アクリル、シアノアクリレートなど）、熱可塑性物質、熱硬化性物質などでよい。この接着剤１６は、図２に示される通り、３Ｄサブ構造体１２の凹部に分配され得る、あるいは平面またはその他の構造トポグラフィの上に分配され得る。接着剤１６は３Ｄプリンタを用いて分配されるため、接着剤１６の位置および体積は正確に制御可能である。別の実施形態では、サブ構造体１２が完成する前に、例えば、層１２Ａおよび層１２Ｂのうちの１つ以上が付着した後で、層１２Ｃが付着する前に、接着剤１６を分配可能であることは理解されよう。
【００１６】
ある実施形態では、接着剤２６は空気硬化性接着剤でよい。空気硬化性接着剤のうちの特定の種類は、特定の塗布に対して様々な望ましい特性を有しているものの、その作業時間は許容しがたいほど短い。ある実施形態では、図３に示される通り、容器１４Ｃからノズル２２Ｃを通って上端層１２Ｃ上に随意的にシーラ２０を分配して、膜被覆３０を形成し、この膜被覆３０で分配された接着剤２６を覆う。この膜被覆３０により、接着剤２６の空気への露出が少なくなり、したがって、接着剤２６の硬化速度が落ちる。この膜被覆３０は、膜被覆３０を簡単に取り除くためのタブ部３２を含んで形成することが可能である。３Ｄプリンタを用いて膜被覆３０のタブ３２を印刷することなどに必要とされる材料の突出し部の形成は、３Ｄ印刷の当業者により行うことができる。
【００１７】
別の実施形態では、液体の粘着材料を用いて膜被覆３０を印刷する代りに、このプリンタが供給リール３６Ａおよび巻取りリール３６Ｂを含む、テープおよびリール組立体３４を備えることができる。テープ組立体３８は、複数のあらかじめ作られたソリッドな膜被覆３０を含む。本実施形態では、図３に示される通り、プリンタは、ソリッドな膜被覆３０を上端層１２Ｃ上に分配し、分配された接着剤２６を覆うよう設定される。膜被覆が粘着材料で印刷され硬化される場合、あるいは膜被覆がソリッドなあらかじめ作られた部分３０として分配される場合のどちらでも、サブ構造体１２とサブ構造体４０とを接続する前に、この膜被覆３０を取り除いて接着剤２６を露出させるが、これについては後程説明する。
【００１８】
別の実施形態では、分配された接着剤２６が膜被覆３０の保護を用いることなく十分な圧締時間を有するように、接着剤１６は、例えば、熱または紫外線（ＵＶ）光を用いて硬化可能な接着剤でよい。さらに、接着剤１６はＢ段階接着剤でよく、付着後、接着剤２６は組み立てる前に部分的に硬化する。その後、サブ構造体の組立後、Ｂ段階接着剤が完全に硬化する、例えば、熱硬化する数時間また数日後にサブ構造体を組み立てることができる。
【００１９】
図４および図５には、第１のサブ構造体１２に第２のサブ構造体４０を取り付ける様子が示されている。この第２のサブ構造体４０は、複数の層４０Ａ〜４０Ｃを含む別の３Ｄ印刷されたサブ構造体、または従来の技術（押出し成形、射出成形など）を用いて加工された部品でよい。本実施形態では、第１の接着剤４２が３Ｄプリンタを用いて分配され、図示される通り、サブ構造体１２内の凹部を部分的にだけ満たす。第２の接着剤４４は３Ｄプリンタを用いて第２のサブ構造体４０上に分配可能であり、この第２の接着剤４４は第１の接着剤４２と同じ種類でよい、あるいは異なる種類でよい。図４の組立体は、その他の接着剤の層４６をさらに含むことができ、この接着剤層４６は接着剤４２、４４と同じ種類でよい、あるいは異なる種類でもよい。ある実施形態では、第１の接着剤４２は二液エポキシの樹脂成分または硬化成分（すなわち、硬化剤）のうちのどちらか一方でよく、第２の接着剤は二液エポキシの樹脂成分または硬化剤成分のもう一方でよい。
【００２０】
次に、１つ以上の接着剤４２〜４６を用いて、第１のサブ構造体１２と第２のサブ構造体４０とを一緒に接続して、図５に示される組立体と類似する、完成した構造体または組立体を形成する。接着剤４２および４４が二液エポキシの接着剤の２つの異なる成分である実施形態では、これらの成分を組合せて、図５に示される通り、エポキシ５０を形成することができる。サブ構造体１２および４０の設計および公差によりＸ−Ｙスクラブ（ｓｃｒｕｂ）が可能であれば、エポキシの成分４２および４４の混合は、２つのサブ構造体１２および４０のＸ−Ｙスクラブを用いて向上させ、改善させることができる。本教示の目的に関して、Ｘ−Ｙスクラブには、２つのサブ構造体１２と４０の間でＸ方向およびＹ方向への相対的平面運動を起こして、２つのサブ構造体１２と４０の間に挟まれた二液エポキシの成分４２および４４の混合状態を向上させることが含まれる。２つのサブ構造体１２および４０の接続では、接着剤４２〜４６のうちの１つ以上を凝固させるための、熱硬化またはＵＶ光硬化などの硬化処理が含まれ得る。
【００２１】
ある実施形態では、３Ｄ印刷されるサブ構造体の表面組織を粗くして、接着剤の位置での表面領域を増やすよう印刷することができる。これにより、最終組立者（人または機械）が例えば、組み立て前に手作業で、やすり掛けをすることにより表面を粗くする必要がなくなる。
【００２２】
別の実施形態では、３Ｄ印刷処理を用いて、サブ構造体１２、４０と類似するサブ構造体を形成することができ、この３Ｄ印刷処理には、粉末化した固体をレーザ加熱すること、または原材料の体積を切削して余剰な材料を取り除く除去処理の使用が含まれる。次いで、上記に記載する通り、３Ｄプリンタを用いて、粘着性接着剤層２６、４２〜４６、および膜被覆３０をサブ構造体１２、４２に塗布することができる。
【００２３】
したがって、本教示の実施形態では、組立体のための一連の部品を作成するために、単一ステップの加工動作において３Ｄ印刷技術を用いることができる。ある実施形態では、３Ｄプリンタを用いて、１つ以上の３Ｄ印刷されるサブ構造体を印刷し、次いで、３Ｄプリンタを用いて、３Ｄ印刷される部品上に直接接着剤を印刷し、３Ｄプリンタにより３Ｄ印刷される部品も印刷する。印刷動作の一部として組立体に接着剤を直接塗布することにより、組み立ての自動化を促進し、組立てのバラツキを抑えることができ、これにより、サイクル時間、諸経費、エネルギ入力、および部品の脱落率（ｐａｒｔ  ｆａｌｌ−ｏｕｔ  ｒａｔｅ）を下げることができる。次いで、最終組立者（人または機械）が接着剤を選択し塗布する必要なく、サブ構造どうしをうまい具合に組み立て、一緒に固定することができる。１つ以上の３Ｄ印刷された接着剤を含む印刷された部品を、製造業者により、異なる場所のユーザ、例えば、外注業者の加工現場、建設現場、または後で組立てを行うためのその他の場所に発送することができる。本実施形態では、オリジナルの製造業者が接着剤の位置を規定し、正確な量の接着剤で印刷もする。したがって、最終組立者による、接着剤の塗布、接着剤の配合、および／または、接着剤の量に関するミスの可能性を削減することができる。
【００２４】
いくつかの接着剤の硬化速度により、印刷された接着剤は接着剤の硬化速度に基づく有効期限を有し得る。３Ｄサブ構造体の印刷日時は印刷される接着剤の有効期限に基づいて、そのサブ構造体が製造業者により印刷・発送され、次いで、接着剤の有効期限より前に、ユーザにより組み立てられるようにする。
【００２５】
ある実施形態では、２つ以上のサブ構造体、１種類以上の接着剤（例えば、１種類以上の樹脂および硬化剤を含む１種類以上のエポキシ）、および全ての所望の膜被覆が設計中に、例えば、ＣＡＤデータとして規定され、種々の要素を加工可能な３Ｄプリンタに送信される。ある実施形態では、例えば、メインのソフトウェアプログラムを通して、プラグイン式のインターフェース、またはアプリケーションプログラミングインターフェース（ＡＰＩ）を通して、ＣＡＤのソフトウェアにより、部品が形成される材料の種類に基づいて、特定の接着剤を規定することができる。直接接続、ネットワーク、または無線（例えば、モバイル装置からの）により、ＣＡＤデータおよび製造規格を提出することができる。３Ｄプリンタは、３Ｄ印刷法を用いて、部品を作成し、エポキシ、硬化剤、および被覆を好適に配置する。３Ｄプリンタは材料ごとに別々のヘッドを備えることができる、あるいは複数の材料を含む１つのヘッドを備えることができる。異なる材料をそれぞれ別々のノズルを通して印刷することができるが、別々の材料容器からの各材料を単一のノズルを通して印刷することも考えられる。各層が１ミクロンより薄い複数の層がプリンタにより順番に塗布されて、サブ構造体が積み上げられ、１種類以上のエポキシ、硬化剤、および被覆が分配される。３Ｄプリンタの仕様および能力によっては、それに関連するエポキシ、硬化剤、および被覆を含む個々の部品を単一の加工動作で作ることが可能である。各部品（すなわち、サブ構造体）を別々に印刷することができる、あるいは、いくつかのまたは全ての部品（およびそれらの関連するエポキシ、硬化剤、および被覆）を単一の加工動作で作成することができる。いくつかの実施形態では、例えば、これらの材料のうちの２つの以上が、３Ｄ空間内の同じ物理的平面内に存在するとき、サブ構造体に関する材料、エポキシ、硬化剤、および／または、被覆が同じ層または複数の層内に含まれ得る。
【００２６】
ある実施形態では、エポキシ樹脂および硬化剤は、互いに接触すると、比較的素早く硬化するよう作られている。別の実施形態では、接着剤は、例えば、熱、ＵＶ光、化学的触媒などの触媒を加えると硬化し得る。ある実施形態では、３Ｄ印刷された接着剤を用い、その他の材料を用いることなしに、２つのサブ組立体を物理的に単に一緒に取り付ける。その他の実施形態では、スクリーン印刷された接着剤、吹き付けられた接着剤など、および／または、クランプ、またはラッチを３Ｄ印刷された接着剤と併せて用いてサブ組立体を一緒に保持することができる。
【００２７】
図６は、本教示の実施形態に従った、完成した構造体を形成するための方法６０のフローチャートである。ステップ６２で、２つ以上の組み立てられるサブ構造体が設計され、ソフトウェア内に実装され得る。これらのサブ構造体のうちの少なくとも１つは、３Ｄプリンタを用いて印刷される部品である。ステップ６４で、３Ｄ印刷されるサブ構造体上で接着剤を塗布する位置が規定され、ステップ６６で、特定の接着剤（複数可）が規定される。取り付けられる材料、および／または、硬化時間、あるいは接着剤の硬化技術（空気硬化、ＵＶ硬化、温度硬化）に基づいて、接着剤を選択することができる。設計および接着剤に関する命令が３Ｄプリンタに送られ、ステップ６８で、ステップ６２で設計されたサブ構造体のうちの少なくとも１つが３Ｄプリンタを用いて印刷される。ステップ７０で、ステップ６８での部品（複数可）の印刷中または印刷終了後のどちらかで、ステップ６６で規定された１種類以上の接着剤を、ステップ６４で規定された位置に、３Ｄプリンタを用いて印刷する。次に、ステップ７０で印刷された接着剤を用いて、ステップ６２で設計された２つ以上のサブ構造体を、組み立てる（ステップ７２）。
【００２８】
図７は、本教示に従った、上記の実施形態を実施するために用いることができるシステム８０を示すブロック図である。システム８０は、３Ｄ印刷されるサブ構造体（図４の１２または４０などの）および接着剤（図４の４２、４４、および／または４６などの）を形成するための方法を実施する電子システム、例えば、コンピュータシステムでよい。図７のシステム８０は、個々のコンピュータ、ネットワーク接続したコンピュータなどの１つ以上のワークステーション８２を含むことができ、これらのワークステーション８２が、ソフトウェア８６を用いて設計を作成するエンジニア、技術者、またはＣＡＤレイアウト設計者からの、例えば、キーボード、マウスなどの入力装置８４を通した人間による入力を受け取る。ワークステーション８２は、１つの（または１つ以上）マイクロプロセッサ８７、メモリ８８などの電子部品を含むことができる。各ワークステーション８２は、無線で、またはケーブルなどを介して（９０）、１つ以上のコンピュータ、ミニコンピュータ、メインフレームなどのサーバ９２と通信することができる。サーバ９２は、一連の命令を実行するソフトウェア９４、１つ以上のマイクロプロセッサ９６、メモリ９８などを含むことができる。このソフトウェア９４は、設計（レイアウト）ソフトウェアを含むことができ、この設計ソフトウェアが、パターン生成を行って、この設計（ＣＡＤ）ソフトウェア８６を用いて作成された設計を座標データおよび命令に書き換え、無線で、またはケーブルなどを介して（１００）、その命令を実行する３Ｄプリンタ１０２に転送する。上記の通り、この３Ｄプリンタ１０２は、サブ構造体の本体１２、４０を印刷するために用いられる材料１８を含む１つ以上の材料の容器または印刷ヘッド１４Ｂと、接着剤２６、４２〜４６を含む１つ以上の接着剤の容器１４Ａとを含むことができる。この３Ｄプリンタ１０２はまた、１つ以上のマイクロプロセッサ１０４、メモリ１０６などの電子部品も含むことができる。したがって、システム８０は、それに格納されたプログラムを有する非一時的なコンピュータ可読記憶媒体を含むことができ、このプログラムが、３Ｄプリンタに上記の１つ以上のサブ構造体１２、４０および接着剤２６、４２〜４６の３Ｄ印刷を行うよう指示する。
【００２９】
本教示の広い範囲を規定する数値範囲およびパラメータは近似値であるにもかかわらず、特定の例で示される数値は可能な限り正確に報告されている。しかし、任意の数値には、必然的にそれぞれの試験計測で見出される標準偏差からやむをえず生じる特定の誤差が含まれる。さらに、本明細書で開示された全ての範囲は、その中に含まれる任意のおよび全ての部分範囲を包含することは理解されよう。例えば、「１０未満」の範囲には、最小値ゼロと最大値１０との間（およびそれらを含む）の任意および全ての部分範囲が含まれ得る。つまり任意および全ての部分範囲は、例えば、１〜５のように、ゼロ以上の最小値と、１０以下の最大値とを有する。特定のケースでは、パラメータに関して規定された数値は負の値をとることができる。この場合、「１０未満」として規定された範囲の例示的な値には、例えば、−１、−２、−３、−１０、−２０、−３０などの負の値を受け入れることができる。
【００３０】
本教示を１つ以上の実装形態に関して説明してきたが、説明された例に対する変更形態、および／または、修正形態を、付随する請求項の趣旨および範囲を逸脱することなく実施することは可能である。例えば、処理は一連の動作または事象として記載されているが、本教示は、このような動作または事象の順序により限定されないことは理解されよう。本明細書に記載されるものとは別に、いくつかの動作は異なる順序、および／または、その他の動作または事象と同時に行われる可能性がある。また、全ての処理の段階において、本教示の１つ以上の様態または実施形態に従った方法を実施する必要はない。構造部品および／または処理段階を追加することが可能である、あるいは構造部品および／または処理段階を取り除く、または修正することも可能であることは理解されよう。さらに、本明細書に記載される動作のうちの１つ以上を別の１つ以上の動作、および／または段階で実行することが可能である。さらに、用語「含む（ｉｎｃｌｕｄｉｎｇ）」、「含む（ｉｎｃｌｕｄｅｓ）」、「有する（ｈａｖｉｎｇ）」、「有する（ｈａｓ）」、「有する（ｗｉｔｈ）」またはそれらのバリエーションは詳細な説明および請求項で使用されている限り、このような用語は「含む（ｃｏｍｐｒｉｓｉｎｇ）」という用語と同様に包括的であることを意図するものとする。「少なくとも１つの」という用語を用いて、選択することができる記載された項目の１つ以上を意味するものとする。さらに、本明細書の議論および請求項では、２つの材料に関して用いられる「上（ｏｎ）」という用語、すなわち、その他の材料の「上（ｏｎ）」のある材料とは、少なくとも材料の間のいくらかの接触を意味し、一方「上方（ｏｖｅｒ）」とは、接触は可能性であるが必須ではないよう、材料が１つ以上の付加的な材料を介在させて近接していることを意味する。「上（ｏｎ）」および「上方（ｏｖｅｒ）」のどちらも、本明細書で使用される任意の指向性を示唆するものではない。「等角（ｃｏｎｆｏｒｍａｌ）」という用語は、下部材料の角度が等角の材料により保持された被覆材料のことを示す。「約（ａｂｏｕｔ）」という用語は記載されている値が若干変更されているが、その変更が図示された実施形態に対する処理または構造の不適合に繋がらない程度の値の変更を示す。最後に、「例示的（ｅｘｅｍｐｌａｒｙ）」は、その説明が理想的なものを示唆するというよりはむしろ、例として用いられていることを示す。本教示のその他の実施形態は、明細書を考察すること、および本明細書の開示を実施することにより当業者には明らかとなるであろう。明細書および実施例は、この後に続く請求項により示される本教示の真の範囲および趣旨を有する例示としてのみ考慮されることを意図される。
【００３１】
本出願で用いられる相対的な位置の用語は、加工物の向きとは関係なく加工物の従来の平面または加工面と平行な平面に基づいて規定される。本出願で使用される「水平な」または「横の」という用語は、加工物の向きとは関係なく、加工物の従来の平面または加工面と平行な平面として規定される。「垂直な」という用語とは、水平方向と垂直な方向のことを指す。「上（ｏｎ）」、「側（ｓｉｄｅ）」（「側壁」などの）、「より高い（ｈｉｇｈｅｒ）」、「より低い（ｌｏｗｅｒ）」、「上方（ｏｖｅｒ）」、「上段（ｔｏｐ）」および「下方（ｕｎｄｅｒ）」などの用語は、加工物の向きとは関係なく加工物の上面上にある従来の平面または加工面に対して規定される。
【図１】
2015120343.tif 000003
【図２】
2015120343.tif 000004
【図５】
2015120343.tif 000005
【図６】
2015120343.tif 000006
【図７】
2015120343.tif 000007
【図３】
2015120343.tif 000008
【図４】
2015120343.tif 000009